(57)【特許請求の範囲】
【請求項１】
ヒゲゼンマイ（１）と；
ムーブメントに備えられる板であるブランク（３）と；
前記ブランク（３）に対する前記ヒゲゼンマイの外側端（１０）の位置を割出す第一割出し要素（１ｃ）と；
前記ヒゲゼンマイの外側端（１０）を前記ブランク（３）に対して接続する連結ユニット（ＯＬ）と
を有するヒゲゼンマイシステムであって、
前記連結ユニット（ＯＬ）は、前記第一割出し要素（１ｃ）に対して変位可能なように設計され、前記ブランクに対する前記ヒゲゼンマイの位置は、前記ヒゲゼンマイを前記ブランクから取り外すことによって前記ヒゲゼンマイシステムが分解されても記憶される
ことを特徴とする、時計ムーブメント（１１０；１２０）のヒゲゼンマイシステム（１００；２００）。
【請求項２】
前記連結ユニットは第一面（Ｐ１）と第二面（Ｐ２）との間にあり、前記第一面と前記第二面は前記ヒゲゼンマイの正中面（Ｐ）に対して対称であり、１．２ｍｍより短い、または１ｍｍより短い、または０．８ｍｍより短い距離（ｄ）離れている
ことを特徴とする、請求項１に記載のシステム。
【請求項３】
前記第一割出し要素（１ｃ）は前記連結ユニット（ＯＬ）に係合するシャフトを有する
ことを特徴とする、請求項１または２に記載のシステム。
【請求項４】
前記第一割出し要素（１ｃ）に対して前記連結ユニット（ＯＬ）を固定するための第一要素（Ｖ１）を有する
ことを特徴とする、請求項１から３のいずれか一項に記載のシステム。
【請求項５】
前記第一割出し要素（１ｃ）を案内するための長穴で形成される第一要素（２ａ）を前記連結ユニットに有する
ことを特徴とする、請求項１から４のいずれか一項に記載のシステム。
【請求項６】
前記ブランクに対して前記ヒゲゼンマイの外側端（１０）の位置を調整するため、前記ブランクに設けられた第二調整要素と協働するよう設計され前記連結ユニットに形成された第一調整要素（１ｄ）を有する
ことを特徴とする、請求項１から５のいずれか一項に記載のシステム。
【請求項７】
摩擦要素（６）が、前記第二調整要素の回転に対抗する摩擦トルクを発生させるよう、前記第二調整要素と直接または間接的に協働するよう設計される
ことを特徴とする、請求項６に記載のシステム。
【請求項８】
前記ブランクに対して前記ヒゲゼンマイを回転するよう案内する第三要素（１ａ）を有する
ことを特徴とする、請求項１から７のいずれかに記載のシステム。
【請求項９】
前記システムはさらに、第二要素（１ｂ）を有し、該第二要素は前記連結ユニットを前記ブランク（３）に対して固定し、または前記ヒゲゼンマイの前記外側端（１０）を前記ブランク（３）に対して固定する
ことを特徴とする、請求項１から８のいずれか一項に記載のシステム。
【請求項１０】
前記システムはさらに、前記ブランクに対して前記ヒゲゼンマイの外側端を配置させる第一位置調整マーク（１ｆ）を有する
ことを特徴とする、請求項１から９のいずれか一項に記載のシステム。
【請求項１１】
前記連結ユニット（ＯＬ）は前記ヒゲゼンマイ（１）の外側端（１０）に一体に形成され、または前記ヒゲゼンマイの一部をなすことを特徴とする、請求項１から１０のいずれか一項に記載のシステム。
【請求項１２】
前記連結ユニット（ＯＬ）は第一体部（ＯＬ１）および前記ヒゲゼンマイ（１）の外側端（１０）と一体に形成されまたは前記ヒゲゼンマイの一部をなす第二体部（ＯＬ２）を有し、前記第一体部（ＯＬ１）は前記第二体部（ＯＬ２）に持続的に固定され、または前記第二体部（ＯＬ２）と一体に形成される
ことを特徴とする、請求項１から１０のいずれかに記載のシステム。
【請求項１３】
前記第一体部（ＯＬ１）と前記第二体部（ＯＬ２）との間の接点は前記ヒゲゼンマイの正中面（Ｐ）にあり、前記第一体部（ＯＬ１）と前記第二体部（ＯＬ２）との間の接点は第一面（Ｐ１）と第二面（Ｐ２）の間にあり、前記第一面と前記第二面は前記正中面（Ｐ）に対して対称であり、１．２ｍｍより短い、または１ｍｍより短い、または０．８ｍｍより短い距離（ｄ）離れている
ことを特徴とする、請求項１２に記載のシステム。
【請求項１４】
請求項１から１３のいずれか一項に記載のシステム（１００；２００）を有する、時計ムーブメント（１１０；２１０）。
【請求項１５】
前記ムーブメントは、てんぷ（９９）を有し、前記ヒゲゼンマイシステムは前記てんぷと前記ブランクとの間に設置される
ことを特徴とする、請求項１４に記載の時計ムーブメント。
【請求項１６】
請求項１から１３のいずれかに記載のシステム（１００；２００）、もしくは請求項１４または１５に記載のムーブメントを有する、時計（１２０；２２０）。
【請求項１７】
前記第一割出し要素（１ｃ）を前記連結ユニット（ＯＬ）に対して解放し；
前記連結ユニット（ＯＬ）を変位させ；および
前記連結ユニット（ＯＬ）に対して前記第一割出し要素（１ｃ）の位置を固定する
各ステップを有する、請求項１４または１５に記載の時計ムーブメントに時を刻ませる方法。
【発明の詳細な説明】
【技術分野】
【０００１】
本発明は、時計ムーブメントのヒゲゼンマイシステムに関する。また、本発明はこのタイプのシステムを含む時計ムーブメントに関する。また、本発明はこのタイプのシステムまたはこのタイプのムーブメントを有する時計、特に腕時計に関する。最後に、本発明はこのタイプのムーブメントに時を刻ませる方法に関する。
【背景技術】
【０００２】
従来、ヒゲゼンマイの振動子は、ヒゲゼンマイの回転を可能とするよう設計され、脱進機の調整を容易とする、てんぷ受に前もって取り付けられた一連の部品を介在して時計ムーブメントに係合し、この一連の部品は、デッドポイント、つまりてんぷ位置において、てんぷ板ピンの中心がパレットまたはブロッキングレバーの回転軸とてんぷを結ぶ線上に配置される。この目的のため、ヒゲゼンマイの外側端は、通常、時計ムーブメントの枠に対して回転可能な固定支持、例えばひげ持受、を介して、てんぷ受に固定される。てんぷ受の角度位置を位置決めする該ユニットを取り外すと、位置調整マークの位置制御ができなくなってしまう。
【０００３】
特許文献１に、ゼンマイの外側端が固定される従来のひげ持受が開示されている。このひげ持受はてんぷ受に組み付けられる。より具体的には、ひげ持受は、てんぷ受の案内部分と協働するよう設計される弾力性のある手段を介在して、てんぷ受との間の摩擦により旋回される。マイクロメートルサイズのねじと戻しばねなどの連結要素を使用することにより、てんぷ受に対して精度よくひげ持受の回転を調整することができる。調整作業は従来、このように時計ムーブメントの枠に対してゼンマイを取り付ける支持部を精度よく回動させることにより実行される。てんぷ受けからひげ持受を取り外すことによっても、位置調整マークの位置制御ができなくなってしまう。
【０００４】
特許文献２には、その外側端が、てんぷ受けの角度位置決めユニットに固定されるよう設計される連結ユニットと一体に作成された、ゼンマイが開示される。具体的には、該位置決めユニットは、てんぷ受の円筒状部分と協働するよう設計される穴を介して、てんぷ受けに対して回転するよう案内される。てんぷ受からこのユニットを取り外すと、位置調整マークを調整できなくなってしまう。別の実施例によると、ヒゲゼンマイは角度位置決めユニットとは独立して、てんぷ受に対して変位可能である。この場合、位置調整マークは、直接ゼンマイの角度位置を直すことにより、特にヒゲゼンマイの連結ユニットを介在させることにより、調節可能である。この例では、てんぷ受から振動子を取り外すことによって、位置調整マークの位置制御ができなくなってしまう。
【０００５】
特許文献３には、耐振ボディと一体のヒゲゼンマイの角度位置を位置決めするユニットが開示される。調整作業は、耐振ボディ、特に歯部または平板化部の形状を有する耐振ボディの、特定の駆動部分の角度位置を変位することにより、実行される。振動子をてんぷ受から取り外すことにより、位置調整マークの位置制御ができなくなってしまう。
【０００６】
特許文献４には、あらゆる調整作業を不要とするよう形成され設計された振動子が開示される。ゼンマイ、大型板、プレートピンおよび小型板が一つの部品として構成されることにより、ムーブメントにいったん係合された後は、先験的にこれらの要素の角度割出しのための振動子の調整は必要でなくなる。ゼンマイの外側端はムーブメントの固定部分、例えば板、パレット受、またはてんぷ受と一体であると解釈される。ヒゲゼンマイの外側端のスタッドは特にプレートに設けた穴に挿入されるように設計可能であり、プレートに取り付けられた小さい板によって軸方向に支持される。しかしながらこの文献には、ムーブメントの枠に対するゼンマイ、特にスタッドの角度位置を調節するための手段は何ら開示されていない。
【０００７】
特許文献５は、ムーブメントのプレートに対して直接加えられるよう設計された、調整ユニットの部品を旋回させるための脱進機支持モジュールに関する。その特徴は、調整ユニットのすべての構成部品が、モジュールの一方向から自動的に組み立て可能なよう構成されていることである。この装置は、緩急針アセンブリや、機械的にヒゲゼンマイの外側端の位置を調整することを可能とする装置を有していない。開示されるゼンマイの端部はモジュールの下部ブリッジを受ける面に接着もしくは溶接されているように見受けられる。この明細書には、振動子の調節に関する要素は何ら示されていない。
【０００８】
係合するブランクに対して変位可能に構成されるヒゲゼンマイについて記載されている全ての従来文献において、振動子がムーブメントに係合しているとき、振動子を規制する作業、特に調整する作業、を実行することが必要である。しかしながら、この作業を行うことにより、ムーブメントの組立作業時間がのびてしまい、またはその作業がより複雑になってしまう。
【先行技術文献】
【特許文献】
【０００９】
【特許文献１】欧州特許出願公開第１７９８６０９号
【特許文献２】欧州特許出願公開第２４３７１２６号
【特許文献３】欧州特許出願公開第２７９９９３７号
【特許文献４】欧州特許出願公開第２５７０８６８号
【特許文献５】欧州特許出願公開第２５６５７３０号
【発明の概要】
【発明が解決しようとする課題】
【００１０】
本発明の目的は、上述した不利益を解決し、従来から知られているシステムを向上させる、時計ムーブメントのヒゲゼンマイシステムを提供することにある。特に本発明は、機械的時計ムーブメントの振動子を係合したり再係合したりする作業を簡易化することを可能とするシステムを提案する。
【課題を解決するための手段】
【００１１】
本発明に係るシステムは、請求項１に記載される。
【００１２】
本発明の別の実施例に係るシステムは、従属項２から１３に記載される。
【００１３】
本発明に係るムーブメントは、請求項１４に記載される。
【００１４】
ムーブメントの実施例は、請求項１５に記載される。
【００１５】
本発明に係る時計は、請求項１６に記載される。
【００１６】
本発明に係る、ムーブメントに時を刻ませる方法は、請求項１７に記載される。
【図面の簡単な説明】
【００１７】
【図１】本発明にかかるシステムの第一実施例を含む、時計の第一実施例の一例を示す図である。
【図２】本発明にかかるシステムの第一実施例を含む、時計の第一実施例の一例を示す図である。
【図３】本発明にかかるシステムの第一実施例を含む、時計の第一実施例の一例を示す図である。
【図４】本発明にかかるシステムの第一実施例を含む、時計の第一実施例の一例を示す図である。
【図５】本発明にかかるシステムの第一実施例を含む、時計の第一実施例の一例を示す図である。
【図６】本発明にかかるシステムの第一実施例を含む、時計の第一実施例の一例を示す図である。
【図７】本発明にかかるシステムの第二実施例を含む、時計の第二実施例の一例を示す図である。
【図８】本発明にかかるシステムの第二実施例を含む、時計の第二実施例の一例を示す図である。
【図９】本発明にかかるシステムの第二実施例を含む、時計の第二実施例の一例を示す図である。
【発明を実施するための形態】
【００１８】
図１から６を参照しつつ、特に腕時計である時計１２０の第一実施例を説明する。該時計は、時計ムーブメント１１０を有する。この時計ムーブメントはヒゲゼンマイシステム１００を有する。
【００１９】
該システムは、
ヒゲゼンマイ１と、
ムーブメントブランク３と、
前記ブランク３に対応する前記ヒゲゼンマイの外側端１０の位置、特に角度位置、を割出すための第一要素１ｃであって、特に前記ブランク３に設けられる第二割出し要素３ｃと協働するよう構成された第一割出し要素１ｃと、
前記ヒゲゼンマイの前記外側端１０を前記ブランク３に連結するためのユニットＯＬと
を有し、前記第一割出し要素１ｃは、連結ユニットに対して、特に回転により、変位可能なように構成される。
【００２０】
好ましくは、第一割出し要素１ｃは、連結ユニットに係合するシャフトを有する。特に、第一割出し要素は、連結ユニットＯＬに係合するねじ台１ｃを含むか、ねじ台１ｃであってよい。有利なことに、第一割出し要素は、ブランクに形成される第二割出し要素３ｃと協働するよう構成される。特に、第二割出し要素は、ブランクに形成される穴３ｃであってよい。割出し要素を設けることにより、振動子が取り外された場合にもムーブメントの枠に対するゼンマイの角度位置を維持することができる。本システムは、第一割出し要素１ｃに対して連結ユニットＯＬを固定する第一要素Ｖ１を有することができる。
【００２１】
割出し要素とは、ブランクに対するヒゲゼンマイの位置、特に角度位置、を記憶することのできるあらゆる手段を指す。
【００２２】
第一実施例において、振動子のゼンマイ１はてんぷに接続されており、特にヒゲ玉を介して一般的な方法により接続されている。連結ユニットＯＬは第一部分である第一連結ユニット体ＯＬ１と、第二部分である第二連結ユニット体ＯＬ２とを有する。例えば、第二連結ユニット体ＯＬ２は、ゼンマイの外側端１０と一体に作成されるか、ゼンマイと一体の部品として作成される。連結ユニットＯＬ１の第一部分は、連結ユニットＯＬ２の第二部分に、特にピンやリベット９を介して固着もしくは取り付けられる。この目的のため、第一および第二部分には、例えばピンやリベットを受ける形状の穴を設ける。ユニットＯＬ２の第二部分は、特にシリコン等の第一材料から作成されるゼンマイの本体と、ＮｉＰ等の第二材料から作成される連結ユニットＯＬ１の第一部分とをつなぐ接点を構成する。
【００２３】
別の例として、連結ユニットＯＬは、ゼンマイの外側端１０と一体に作成されるか、ゼンマイと一体の部品として作成されてもよい。
【００２４】
連結ユニットはヒゲゼンマイの正中面Ｐにあるのが好ましい。特に、連結ユニットは第一面Ｐ１と第二面Ｐ２との間にあり、第一面と第二面は面Ｐに対して対称であり、距離ｄ離れているのが好ましい。例えば、ｄは１．２ミリより短く、または１ミリより短く、または０．８ミリより短い。また、連結ユニットＯＬ１の第一部分とユニットＯＬ２の第二部分との間の接点はヒゲゼンマイの正中面Ｐに位置するのが好ましい。特に、連結ユニットＯＬ１の第一部分とユニットＯＬ２の第二部分との間の接点は第一面Ｐ１と第二面Ｐ２の間に配置することができる。
【００２５】
好ましくは、連結ユニットＯＬ１の第一部分とユニットＯＬ２の第二部分との間の機械的接合は取り外すことができない。つまり、機械的接合およびまたは連結ユニットの第一部分およびまたは連結ユニットの第二部分にダメージを与えることなく取り外すことはできない。
【００２６】
連結ユニットＯＬ１の第一部分は、ヒゲゼンマイ、特にヒゲゼンマイの外側端、の回転を案内する要素を有する。案内要素は、長穴１ａおよび２ａ、例えばそれぞれ同心円弧の形状を有する二つの溝である。これら楕円形の溝は、異なる半径を有していてよい。有利には、回転の中心、つまり各円の円弧の中心は、ヒゲゼンマイの中心と実質的に同じである。穴１ａおよび２ａは、例えばブランク３の特に板３に設けられた位置決め柱３ａなどの他の案内手段と協働するよう構成してもよい。このような構成により、案内手段はヒゲゼンマイを中心に位置決めする要素としても作用する。製造および組立許容誤差の許す限りヒゲゼンマイの半径位置を正確に配置するために、好ましくは少なくとも二つの穴１ａおよび２ａを設ける。理想としては、これらの案内手段により、調整ユニットの静止位置において、拘束手段なしにまたは最低限の拘束手段のみで、ヒゲゼンマイの初期位置を維持することができる。
【００２７】
本システムは、第二要素１ｂを有することができ、特に連結ユニットの第一部分をブランク３に対してまたはヒゲゼンマイの外側端１０をブランク３に対して固定する固定面１ｂおよび、特に少なくともブランク３の固定面３ｂである第三固定要素３ｂと協働するよう構成される固定面１ｂである第二固定要素１ｂを有することができる。
【００２８】
有利な構成として、少なくとも一つの柱３ａはねじ台である。好ましくは、後者は第三固定要素と協働する。ねじ台は、ムーブメントの枠にヒゲゼンマイを取り付けまたは固定させる手段を構成する。溝２ａと協働してゼンマイの回転を案内する機能に加え、ねじ台３ａはさらに、図４に示すように、板３に対しててんぷ受４を位置決めして取り付ける機能を奏するように構成することができる。受４を板３に対してねじ止めにより取り付けることは、ヒゲゼンマイの外側端をムーブメントの枠と係合することを含む。実際に、いったん板に受４を係合すると、連結ユニットＯＬ１の第一部分の支持面１ｂは、板３およびてんぷ受４のそれぞれの支持面３ｂおよび４ｂに対して固定される。連結ユニットＯＬ１の第一部分はその後、板と受の間に把持される。連結ユニットＯＬ１の第一部分がねじ止め力に対して適切な抵抗を有するよう、連結ユニットＯＬ１の第一部分は、ゼンマイの本体よりも柔軟な素材から作成されるのが好ましい。
【００２９】
本システムは、連結ユニットの第一部分ＯＬ１に対して第一割出し要素１ｃを案内する第一要素２ａを有する。特に第一案内手段は、ねじ台１ｃに設けられた一つまたは二つの平板化部である第二案内手段１０ｃと協働するよう設計された長穴２ａを有する。有利なことに、第一割出し要素は、長穴２ａと実質的に相補的な形状を有し、例えば一つまたは二つの平板化部１０ｃを含む。これらの平板化部は平らであってよい。あるいは、一つまたは二つの平板化部１０ｃは完全に平らである必要はなく、平板化部が協働すべき開口部の縁と相補的な凹部または凸部を有してもよい。第一実施例において、連結ユニットの第一部分ＯＬ１に対して第一割出し要素１ｃを案内する第一要素２ａは、ヒゲゼンマイの回転、特にヒゲゼンマイの外側端、を案内する要素である。
【００３０】
本システムは、第一割出し要素１ｃに対して連結ユニットＯＬを固定するための第一要素Ｖ１を有してもよい。それにより、第一割出し要素は第一固定要素Ｖ１により、連結ユニットＯＬ１の第一部分に接合または固着することができる。第一固定要素はねじＶ１であってよい。固着または取り付けを実行するため、連結ユニットの第一部分は、図５に示すとおり、ねじＶ１の頭と平板化部の下端に設けられた一つまたはそれ以上の肩部１０ｄとの間に把持される。
【００３１】
ゼンマイがムーブメントに係合されると、ゼンマイに接合もしくは固着され、特に連結ユニットＯＬ１の第一部分に固着される、ねじ台１ｃは、板３の穴３ｃに挿入される。これらの要素が協働することにより、製造および組立許容誤差により許される最大限の精度でヒゲゼンマイの角度位置を保証することができる。
【００３２】
取り付けられているねじ台１ｃのねじＶ１とねじ台３ａのねじＶ３が外されると同時に調整作業が可能となる。この構成において、ヒゲゼンマイ、特にヒゲゼンマイの外側端１０は回転可能である。その結果、調整作業を担うてんぷの回転が可能となる。この調整作業を保証するため、本システムはブランクに対してヒゲゼンマイの外側端１０の位置を調整するための第一要素１ｄを有することができる。この第一調整要素は第二調整要素３ｄと協働し、調整を可能とするよう設計される。図６に示すとおり、第一調整要素は歯付き扇形部１ｄであり、第二調整要素は、ブランク、特に板３に対して回転移動可能なように係合する歯付きナット３ｄであってよい。
【００３３】
例えば、歯付き扇形部１ｄは連結ユニットＯＬ１の第一部分に形成されてよい。特に、扇形部はゼンマイおよびてんぷと同心な円弧に形成されてよい。それにより、歯付きナットは歯付き扇形部と係合し、ナットの回転により歯付き扇形部の回転を起こさせ、結果的にゼンマイを回転させる。ナットを回転させるため、後者は工具により駆動可能な構成を有することが好ましく、例えばねじ回しを使用することによってナットを動かすスロット３ｅであってよい。好ましくは、調整ナット３ｄは摩擦によりブランク３と係合し、またはゼンマイ６と協働することにより、抵抗トルクが回転に対抗し、結果的にヒゲゼンマイの回転に対抗する。摩擦ゼンマイは、歯付きナットの回転に対抗する摩擦トルクを生み出すための、歯付きナットと直接または間接的に協働するゼンマイブレードを有することができる。このゼンマイブレードはブランクに取り付け可能で、ナットの表面に支持されることができる。ゼンマイブレードはナットに対して機械的作用を与え続けるため、あらかじめ圧力をかけられてもよい。
【００３４】
調整要素の歯の形状および抵抗トルクの値を選択することにより、取り付け支持に対応してゼンマイを精度よく変位する装置を実現する。
【００３５】
本システムは好ましくは、特に板に設けられたピンまたは溝である第二停止要素３ａと協働するよう設計される特に溝１ａまたはピンである第一停止要素を有する。好ましくは、ヒゲゼンマイの回転角度の範囲は停止部により規定される。例えば、第一停止部は長穴１ａの各端部１ｅから構成可能で、例えば一つ以上の柱３ａからなる第二停止部と協働するよう設計される。第一実施例において、一つの穴１ａが第一停止部１ｅを形成する。ここで、回転角度の範囲は、例えば２０°と４０°の間である。
【００３６】
図７から図９を参照しつつ、時計２２０、特に腕時計、に係る第二実施例を説明する。時計は時計ムーブメント２１０を有する。この時計ムーブメントはヒゲゼンマイシステム２００を有する。
【００３７】
第二実施例は、主に、各機能が連結ユニットＯＬ１とＯＬ２の第一および第二部分に分散されている点が第一実施例と異なる。実際、第一実施例においては、各機能（案内、固定、割出し、規制、停止、調整）は連結ユニットの第一部分に集中している。
【００３８】
第二実施例において、各案内手段１ａは、例えば、ゼンマイの本体と一体に設けられる連結ユニットＯＬ２の第二部分に形成することが可能である。このような構成により、公差の連続を最小にすることができ、特にヒゲゼンマイの半径方向の位置決めを高精度で保証することができる。
【００３９】
この第二実施例においては、ゼンマイの角度位置を割出すための各要素１ｃを実現するために、特に長穴１０ａが貢献している。長穴の機能は、前述した要素と同じであり、ねじ台１ｃは板３に設けた穴３ｃに収容可能に設計される。図８および図９は、ムーブメントに取り付けられたゼンマイを示す。この組立構造の第一実施例との違いは、ゼンマイが板３に直接係合されるねじＶ３によって取り付けられることにより、てんぷ受４に影響を与えない点である。このことにより、連結ユニットＯＬ１の第一部分の支持面１ｂは板３とねじＶ３の頭部の各支持面３ｂおよびＶ３ｂに対して固定される。そのため、ねじＶ３とねじ台１ｃのねじＶ１とを緩めることにより、板に対しててんぷ受を取り付ける要素を個別に調整することが可能となる。
【００４０】
前述したとおり、駆動要素１ｄの調整要素は、連結ユニットＯＬ１の第一部分によって支持される。要素１ｄに形成された歯を、板３に対して旋回するよう係合される調整ナット３ｄの歯によって駆動する構成を採用する。ヒゲゼンマイの回転に対抗するよう設計される摩擦トルクは、本構成においては、てんぷ受の下に加えられるゼンマイ６によって保証され、連結ユニットＯＬ１の第一部分の支持表面１ｂに対して作用するよう設計される。このため、歯付きナットの回転に間接的に対抗する摩擦トルクが生じる。
【００４１】
あるいは、ゼンマイは板に対して、摩擦、特に摩擦ゼンマイによって生じる摩擦によって、固定することができる。これにより、ゼンマイは支持力によって引き起こされる摩擦力のみによってブランクに保持することができる。そのため、ゼンマイは取り付けのためのねじに頼ることなく固定可能である。
【００４２】
本システムは、ブランクに対してヒゲゼンマイの外側端を位置決めするための第一位置調整マーク１ｆを有することができ、特に、ブランクに設けられた第二位置調整マーク３ｆまたはブランクに設けられた第二歯部とそれぞれ協働するよう設計された第一歯部１ｆまたは第一位置調整マークを有することができる。この場合においてヒゲゼンマイの角度割出しのための調整または検知要素は、連結ユニットＯＬ１の第一部分に設けられ、板に設けられた視覚位置調整マーク３ｆと共同するよう設計された、微細歯部１ｆである。
【００４３】
前述した各機能は、当業者によって、調整ユニットの構成や環境の制約に応じて、連結ユニットの第一および第二部分に分散して設けるのが好ましい。言い換えるなら、ある機能は連結ユニットの第一部分と連結ユニットの第二部分のどちらに配置してもよい。
【００４４】
上述していない第二実施例のさらなる特徴部分は、第一実施例の同等の特徴部分と同様である。
【００４５】
（図示されない）第三実施例においては、連結ユニットＯＬ１とＯＬ２の第一および第二部分は組み合わされており、ゼンマイの本体と一体に作られる単一の連結ユニットＯＬに全ての機能を集約する。シリコンなどの脆い素材からなるゼンマイにおいて、支持面１ｂは例えばコーティングなどによって硬化可能であり、それによって軸方向の力、特にねじ止め力に耐えることができる。
【００４６】
各実施例において、ブランクは好ましくは板である。
【００４７】
有利なことに、各実施例において、ヒゲゼンマイの外側端と一体にもしくは一体でなく構成される少なくとも一つの連結ユニットは、支持に対してヒゲゼンマイの角度位置を調整することを可能とするよう、支持に対するヒゲゼンマイの回転を変位させる要素を有する。これらの変位要素は、枠に対するゼンマイの角度位置を割出す要素と組み合わせることができる。これらの変位要素はまた、枠に対するゼンマイの角度位置を微調整する要素と組み合わせることができる。
【００４８】
有利なことに、このような構成により、枠に対して変位不可能な一つ以上のブランクによってムーブメントに固定されるヒゲゼンマイを有する振動子が、時を刻むように構成するシステムを実現することができる。
【００４９】
有利なことに、このシステムは取り付け支持部材に対してヒゲゼンマイを回転可能に構成することにより、調整作業が、取り付け支持部材の回転ではなくゼンマイの回転によって直接に実施されうる。この種の解決方法は、例えば板およびまたはてんぷ受などの一つ以上のブランクである、時計ムーブメントの枠に対して変位不可能な支持部材に対して固定されるゼンマイを有する振動子において、特に有効である。本発明に係るシステムは、優位な点として、ヒゲゼンマイの角度位置を割り出すための要素を設けたことにより、振動子をその支持部材から取り外した後にも維持されるという特徴を有する位置調整マークの調整を可能とする。加えて、本システムは、ヒゲゼンマイシステムによって支持される調整要素を利用することにより、位置調整マークを微調整する要素を実現することができる。
【００５０】
このタイプのシステムは、あらゆるタイプの時計における脱進機に適用可能である。
【００５１】
前述した各実施例において、ゼンマイの外側端は、板とてんぷ受によって、またはてんぷ受とは独立した板によって、ムーブメントの枠に固定される。この円弧形状により、特に振動子の軸方向の寸法を小さくし、組み立て状態のてんぷの軸方向の隙間を調整するシステムを簡易化することができる。
【００５２】
時計ムーブメントに係る各実施例において、ムーブメントはムーブメントブランク、特に板３、およびてんぷ９９を有する。好ましくは、ヒゲゼンマイシステムはてんぷと板との間に配置される。その後、ヒゲゼンマイシステムの要素であって、例えばねじ台などの第一割出し要素１ｃ、およびまたは柱３ａなどの案内手段、およびまたはねじ３ｄなどの調整要素が、ムーブメントブランクに配置されるか、またはムーブメントブランクに部分的に配置される。
【００５３】
技術的または論理的に矛盾する場合を除き、前記第一、第二および第三実施例の各技術的特徴は組み合わせることができる。
【００５４】
本発明はさらに、時計ムーブメント１１０、１２０のヒゲゼンマイシステム１００、２００であって、
ヒゲゼンマイ１と、
ヒゲゼンマイの外側端１０をムーブメントブランク３に対して接続するユニットＯＬであって、連結ユニットは、ヒゲゼンマイの外側端１０の位置をブランクに対して調整する第一要素１ｄを含み、特に、ブランクに設けられ第二調整要素３ｄと協働するよう設計された第一調整要素１ｄを含む。
【００５５】
本発明によると、調整作業は下記の各ステップを有する。
前記連結ユニットＯＬに対して前記第一割出し要素１ｃを解放し；
連結ユニットＯＬを変位し；
連結ユニットＯＬに対する前記第一割出し要素１ｃの位置を固定する。
【００５６】
第一割出し要素は例えば、第一割出し要素１ｃに連結ユニットＯＬを固定する第一要素Ｖ１を操作することにより、解放される。この操作は、例えばねじＶ１を緩めることからなる。第一割出し要素は連結ユニットに対して変位可能であり、逆もまた可能である。
【００５７】
第一割出し要素は、時計職人の割出し要素に対する直接の操作により変位されるか、好ましくは時計職人の連結ユニットに対する直接の操作により変位される。直接の操作とは、時計職人が道具を使って操作することを含む。あるいは、第一割出し要素は割出し要素または好ましくは連結ユニットに対する間接的な操作により変位される。特に、この間接的な操作は、ブランクに対するヒゲゼンマイの外側端１０の位置を調整するための第一要素１ｄを介して、特にブランク３に対して回転可能なように係合される歯付きナット３ｄを介して、行われる。そのため、時計職人は歯付きナットに対して道具を使用して操作することにより、連結ユニットに対して第一割出し要素を変位させることができる。
【００５８】
第一割出し要素は、第一割出し要素１ｃに対して連結ユニットＯＬを固定するための第一要素Ｖ１を操作することにより、固定される。この操作は、例えばねじＶ１をねじ止めすることからなる。これにより、第一割出し要素は変位できなくなる。
【００５９】
任意的に、第一割出し要素を解放する前か後に、ブランクを固定する面に対して、連結ユニットを固定する面を解放することができる。固定面は、例えばねじ台３ａのねじＶ３を操作することにより解放できる。この作業は、例えばねじＶ３を緩めることからなる。これにより、ユニットはブランクに対して変位可能となる。
【００６０】
任意的に、第一割出し要素を取り付ける前か後に、ブランクを固定する面に対して、連結ユニットを固定する面を固定することができる。固定面は、例えばねじ台３ａに対してねじＶ３を操作することにより固定できる。この操作は、ねじＶ３をねじ止めすることからなる。これにより、ユニットはブランクに対して固定される。
【００６１】
本明細書において、「ゼンマイ」と「ヒゲゼンマイ」の用語は、同じ要素を指し、両用語は区別なく使われる。
【００６２】
本明細書において、「調整作業」とは、時計もしくは振動子もしくはムーブメントに時を刻ませる作業である。
【００６３】
本明細書において、「第一」、「第二」、「第三」および「第四」などの順番を表す序数名詞は、弁別的な意味を有する。これらの名詞は要素同士を区別するのに使われる。
【００６４】
好ましくは、本発明は、スタッドまたはヒゲゼンマイを把持するためのスタッドと協働する弾性の取り付け機構によって、ヒゲゼンマイの外側端を取り付けることを除外する。
【符号の説明】
【００６５】
１  ヒゲゼンマイ
１ａ、２ａ  第一要素
１ｂ  第二固定要素
１ｃ  第一割出し要素
１ｄ  第一調整要素
３  ムーブメントブランク
３ａ  第四案内手段
３ｂ  第三固定要素
３ｃ  第二割出し要素
３ｄ  第二調整要素
６  摩擦要素
１０  ヒゲゼンマイの外側端
９９  てんぷ
１００、２００  ヒゲゼンマイシステム
１１０、１２０  時計ムーブメント
１２０、２２０  時計
【図１】
0006710041.tif 000002
【図２】
0006710041.tif 000003
【図３】
0006710041.tif 000004
【図４】
0006710041.tif 000005
【図５】
0006710041.tif 000006
【図６】
0006710041.tif 000007
【図７】
0006710041.tif 000008
【図８】
0006710041.tif 000009
【図９】
0006710041.tif 000010